(57)【要約】  【課題】  表示内容を簡単に変更することができ、しかも衝撃を受けても簡単に倒れるおそれがないようにした表示パネルを提供する。  【解決手段】  表示シートを展開して取り付けるようにした自立可能な表示パネルであって、矩形状に製作されたパネル本体２０と、パネル本体の底辺に着脱可能に取り付けられ、パネル本体を自立姿勢に保持し得る脚２３と、パネル本体の外表面に固定され、嵌込み凹溝２５Ａが全周にわたって形成された取付けフレーム２５と、取付けフレーム又はパネル本体の外表面に取り付けられたＬＥＤランプ４０と、外周縁に係止突条３０Ａが形成され、係止突条が弾性変形されながら取付けフレームの嵌込み凹溝に着脱可能に嵌め込まれて弾性復帰することによって、ＬＥＤランプの前方に展開した状態で弾性保持される軟質の表示シート３０と、を備える。【選択図】図１
2016081000.tif 000002
【特許請求の範囲】
【請求項１】
表示シートを展開して取り付けるようにした自立可能な表示パネルであって、
矩形状に製作されたパネル本体（２０）と、
該パネル本体（２０）の底辺に着脱可能に取り付けられ、上記パネル本体（２０）を自立姿勢に保持し得る脚（２３）と、
上記パネル本体（２０）の外表面に固定され、嵌込み凹溝（２５Ａ）が全周にわたって形成された取付けフレーム（２５）と、
該取付けフレーム（２５）又はパネル本体（２０）の外表面に取り付けられたＬＥＤランプ（４０）と、
外周縁に係止突条（３０Ａ）が形成され、該係止突条（３０Ａ）が弾性変形されながら上記取付けフレーム（２５）の嵌込み凹溝（２５Ａ）に着脱可能に嵌め込まれて弾性復帰することによって、上記ＬＥＤランプ（４０）の前方に展開した状態で弾性保持される軟質の表示シート（３０）と、
を備えたことを特徴とする表示パネル。
【請求項２】
上記パネル本体（２０）は矩形フレーム（２１）と矩形フレーム（２１）の両側に取り付けられたサイドパネル（２２）とから構成されている請求項１記載の表示パネル。
【請求項３】
縦方向に延びる複数の上記ＬＥＤランプ（４０）が横方向に間隔をあけて設けられるか、又は横方向に延びる複数の上記ＬＥＤランプ（４０）が縦方向に間隔をあけて設けられている請求項１記載の表示パネル。
【請求項４】
上記表示シート（３０）が、光を透過し得る合成樹脂材料を用いて製作されるか、又は光を透過し得る薄さに製作されている請求項１記載の表示パネル。
【請求項５】
上記パネル本体（２０）の少なくとも縦辺部には断面コ字状の凹溝（２０Ａ）が形成され、該凹溝（２０Ａ）と隣接する表示パネルの縦辺部の凹溝とに支柱（５０）を嵌め込むことによって、隣接する２枚が相互に連結されるようになっている請求項２記載の表示パネル。
【請求項６】
上記支柱（５０）及びパネル本体（２０）の縦辺部の凹溝（２０Ａ）内面の少なくとも一方には磁石板（２４）が固定され、他方には磁石板が固定されるか又は磁着可能な金属部が設けられ、上記支柱（５０）がパネル本体（２０）の凹溝（２０Ａ）に磁着されることによって、隣接する２枚が相互に連結されるようになっている請求項５記載の表示パネル。
【請求項７】
隣接する２枚のうちの一方がパネル本体と該パネル本体の底辺に着脱可能に取り付けられ、上記パネル本体（２０）を自立姿勢に保持し得る脚とから構成され、間仕切りパネルの機能を有するものである請求項６記載の表示パネル。
【発明の詳細な説明】
【技術分野】
【０００１】
本発明は表示パネルに関し、特に表示内容を簡単に変更することができ、しかも衝撃を受けても簡単に倒れるおそれがないようにしたパネルに関する。
【背景技術】
【０００２】
例えば、商品の広告宣伝などには表示パネルがよく用いられる。この表示パネルは壁面や支柱に貼り付けたり、適当な構造物から吊り下げたりすることが行われているが、屋外など適当な壁面や支柱、吊り下げ場所などがないときには利用し難い（特許文献１、特許文献２）。
【０００３】
他方、パネル本体の背面に脚を取付けて自立させることによって、場所を限定されることなく設置できるようにした表示パネルが提案されている（特許文献３）。
【先行技術文献】
【特許文献】
【０００４】
【特許文献１】特開２０１２−１４１３４２号公報
【特許文献２】実用新案登録第３１８３８７４号公報
【特許文献３】特開平１１−８５０２０号公報
【発明の概要】
【発明が解決しようとする課題】
【０００５】
しかし、特許文献３記載の自立型の表示パネルは背面側に脚を設けた構造であるので、背面側から衝撃を受けると、前方に倒れるおそれがある。また、表示内容を変更しようとするときには、パネル全体を交換する必要がある。
【０００６】
本発明はかかる問題点に鑑み、表示内容を簡単に変更することができ、しかも衝撃を受けても簡単に倒れるおそれがないようにした自立型の表示パネルを提供することを課題とする。
【課題を解決するための手段】
【０００７】
そこで、本発明に係る表示パネルは、表示シートを展開して取り付けるようにした自立可能な表示パネルであって、矩形状に製作されたパネル本体と、該パネル本体の底辺に着脱可能に取り付けられ、上記パネル本体を自立姿勢に保持し得る脚と、上記パネル本体の外表面に固定され、嵌込み凹溝が全周にわたって形成された取付けフレームと、該取付けフレーム又はパネル本体の外表面に取付けられたＬＥＤランプと、外周縁に係止突条が形成され、該係止突条が弾性変形されながら上記取付けフレームの嵌込み凹溝に着脱可能に嵌め込まれて弾性復帰することによって、上記ＬＥＤランプの前方に展開した状態で弾性保持される軟質の表示シートと、を備えたことを特徴とする。
【０００８】
本発明の特徴の１つはパネル本体の底辺に脚を着脱多能に取り付けて自立姿勢に保持するようにした点にある。これにより、表示パネルを任意の場所に設置することができ、しかも例えばパネル本体に対して厚み方向に延びる構造の脚など、適切な構造の脚を選択することによって、衝撃を受けてもパネル本体を自立姿勢に保持でき、簡単に倒れるのを確実に防止できる。
【０００９】
本発明の第２の特徴は軟質の表示シートの周縁に係止突条を、パネル本体の取付けフレームの嵌込み凹溝を弾性変形させて嵌め込み、弾性復帰させて表示シートを展開して弾性保持するようにした点にある。これにより、表示シートを交換することによって表示内容を簡単に変更することができる。
【００１０】
ここで、ＬＥＤランプは取付けフレーム又はパネル本体の外表面に取り付けられていればよく、例えば縦方向に延びる複数のＬＥＤランプを横方向に間隔をあけて配置して取付けフレームやパネル本体の外表面に取付けるようにしてもよく、又横方向に延びる複数のＬＥＤランプを縦方向に間隔をあけて配置して取付けフレームやパネル本体の外表面に取り付けるようにしてもよい。
【００１１】
表示パネルを広告パネルなどの用途に利用する場合を考慮すると、表示シートはＬＥＤランプの光をある程度透過しえるようにすることが好ましい。そこで、表示シートは光を透過し得る合成樹脂材料を用いて製作するか、又は光を透過し得る薄さに製作するのがよい。表示シートの材料は例えば軟質ポリウレタンや軟質ポリエチレンなどを採用することができる。
【００１２】
パネル本体の構造は矩形状であれば特に限定されないが、パネル本体は矩形フレームと矩形フレームの両側に取付けられたサイドパネルとから構成されるのがよい。
【００１３】
また、隣接する表示パネルを連結できる構造にすると、表示パネルを間仕切りパネルとしても利用することができる。そこで、矩形フレームの少なくとも縦桟には断面コ字状の凹溝を形成し、凹溝と隣接する表示パネルの矩形フレームの縦桟の凹溝とに支柱を嵌め込むことによって、隣接する２枚を相互に連結するように構成するのがよい。この場合、隣接する２枚の一方には取付けフレーム、ＬＥＤランプ及び表示シートが設けられておらず、パネル本体と脚とのみを備えたものであってもよい。
【００１４】
また、支柱及び矩形フレームの凹溝内面の少なくとも一方には磁石板を固定し、他方には磁石板を固定するか又は磁着可能な金属部を設け、支柱を矩形フレームの凹溝に磁着させることによって、隣接する２枚を相互に連結するようにするのがよい。
【図面の簡単な説明】
【００１５】
【図１】本発明に係る表示パネルの好ましい実施形態を示す概略図である。
【図２】上記実施形態において表示シートを外した状態を示す概略図である。
【図３】上記実施形態において係止凹溝と係止突条との関係を示す図である。
【図４】上記実施形態におけるパネル本体を示す図である。
【図５】上記実施形態において隣接するパネル本体の連結状況を模式的に示す図である。
【図６】上記実施形態における連結用支柱を模式的に示す図である。
【発明を実施するための形態】
【００１６】
以下、本発明を具体例に基づいて詳細に説明する。図１ないし図６は本発明に係る表示パネルの好ましい実施形態を示す。図において、表示パネル１０は高さ２４００ｍｍ×幅１０００ｍｍ×厚さ６０ｍｍ又は高さ２１００ｍｍ×幅９００ｍｍ×厚さ６０ｍｍなどの寸法が採用されているが、他の寸法を採用することもできる。
【００１７】
表示パネル１０のパネル本体２０は矩形フレーム２１の両側を薄型のサイドパネル２２で挟んで取り付けて構成され、矩形フレーム２１は左右の縦桟の間に横桟を配置し、嵌め合い構造に連結して製作されている。
【００１８】
また、矩形フレーム２１とサイドパネル２２とは矩形フレーム２１の左右の縦桟がサイドパネル２２の側端縁から内方にずれた位置及び矩形フレーム２１の上側の横桟がサイドパネル２２の上端縁から下方にずれた位置になるように取付けられることによってパネル本体２０の左右の両側面及び上端縁には凹溝２０Ａが全長にわたって形成されている。
【００１９】
また、パネル本体２０の両側辺の凹溝２０Ａの底面には複数枚の磁石板２４が上下方向に間隔をあけて固着されており、パネル本体２０を左右に並べ、隣接するパネル本体２０の凹溝２０Ａ内に四角形の支柱５０を差し込んで磁石板２４に磁着させ、支柱５０上端の連結ピン５１をパネル本体２０の上側凹溝２０Ａに形成された連結穴２６に差し込むことによって隣接するパネル本体２０が相互に連結されるようになっている。
【００２０】
また、パネル本体２０の底辺部分両側には脚２３が着脱可能に取付けられている。この脚２３は例えば脚２３に設けたねじをパネル本体２０底辺のねじ穴にねじ込むことによって固定するようにしてもよく、又脚２３に設けたコ字状のブラケットでパネル本体２０の底辺部分を挟み込み、必要に応じてブラケットをねじ止めすることによって固定するようにしてよい。
【００２１】
また、パネル本体２０のサイドパネル２２の外表面には矩形状の取付けフレーム２５が接着剤やねじなどを用いて固定され、取付けフレーム２５には嵌込み凹溝２５Ａが全周にわたって形成されている。
【００２２】
取付けフレーム２５には縦方向に延びる複数のＬＥＤランプ４０が横方向に間隔をあけて配置されてその両端部が取付けフレーム２５に固定されている。
【００２３】
他方、表示シート３０は軟質の合成樹脂材料、例えば軟質ポリウレタンや軟質ポリエチレンなどを用いて薄い矩形シート状に製作され、その表面には表示すべき内容、例えば女性の全身が描かれ、又表示シート３０の全周縁には三角形状の係止突条３０Ａが形成され、係止突条３０Ａを弾性変形させながら取付けフレーム２５の嵌込み凹溝２５Ａに嵌め込み、弾性復帰させることによって表示シート２５はＬＥＤランプ４０の前方にて、展開された状態で弾性保持されるようになっている。
【００２４】
本例の表示パネル１０を用いる場合、パネル本体２０を底辺に設けた脚２３によって安定に自立させる。また、表示シート３０の係止突条３０Ａを図３の一点鎖線で示されるように弾性変形させて取付けフレーム２５の嵌込み凹溝２５Ａに嵌め込んで弾性復帰させ、これを表示シート３０の全周にわたって行うと、表示シート３０をパネル本体２０にピーンと張った状態で弾性保持することができる。
【００２５】
この状態において、表示の内容を変更する場合には上記とは逆の作業を行って表示シート３０を外し、新しい内容の表示シート３０をパネル本体２０にピーンと張った状態で弾性保持すればよい。
【００２６】
表示シート３０をパネル本体２０にピーンと張った状態で保持すると、表示シート３０の内容は背後のＬＥＤランプ４０の発光によって明るく映し出させれるので、表示の視覚効果を高めることができ、例えば広告に用いる場合には高い広告効果が期待できる。
【符号の説明】
【００２７】
１０      表示パネル
２０      パネル本体
２０Ａ      凹溝
２３      脚
２５      表示シート
２５Ａ      嵌込み凹溝
３０      取付けフレーム
３０Ａ      係止突条
４０      ＬＥＤランプ
【図１】
2016081000.tif 000003
【図２】
2016081000.tif 000004
【図３】
2016081000.tif 000005
【図４】
2016081000.tif 000006
【図５】
2016081000.tif 000007
【図６】
2016081000.tif 000008